(57)【要約】      （修正有）【課題】より効率的で効果的な負荷作用を装着者の身体に付与し得る身体装着用ウエイト器具を提供する。【解決手段】身体に装着して適度な負荷を与えるウエイト器具であって、ウエイト本体１０と結束バンド２０とから成り、ウエイト本体１０は、所定のシート状物から成る表層材１２と裏層材１４との二層構造であって、平面視において略矩形を為し、該表層材１２と裏層材１４とが周縁部において接合されることで中空部が形成されると共に、該中空部にウエイト材が充填されて成り、結束バンド２０は、帯状体２１であって一方の端辺にバックル２２を備え、前記表層材１２の短手方向略中央箇所に長手方向に沿って固着されて成る手段を採る。【選択図】図１
0003217110.tif 000002
【実用新案登録請求の範囲】
【請求項１】
身体に装着して適度な負荷を与えるウエイト器具であって、
ウエイト本体と、結束バンドと、から成り、
ウエイト本体は、所定のシート状物から成る表層材と裏層材との二層構造であって、平面視において略矩形を為し、該表層材と裏層材とが周縁部において接合されることで中空部が形成されると共に、該中空部にウエイト材が充填されて成り、
結束バンドは、帯状体であって一方の端辺にバックルを備え、前記表層材の短手方向略中央箇所に長手方向に沿って固着されて成り、
手首や足首といった身体の所定箇所にウエイト本体を周回的に被覆しつつ結束バンドで固定することで装着され、当該装着箇所に適度なウエイト的負荷を与えることを特徴とする身体装着用ウエイト器具。
【請求項２】
前記ウエイト本体における表層材が合成皮革から成ると共に、裏層材がポリウレタン弾性繊維若しくはクロロプレンゴムから成ることを特徴とする請求項１に記載の身体装着用ウエイト器具。
【請求項３】
前記結束バンドにおけるバックルが折り返しバックル構造で形成されると共に、帯状体が面ファスナーで形成されて成ることを特徴とする請求項１又は請求項２に記載の身体装着用ウエイト器具。
【請求項４】
前記ウエイト本体における中空部内に充填されるウエイト材が、直径５ｍｍ以下の極小鉄玉から成ることを特徴とする請求項１から請求項３のいずれかに記載の身体装着用ウエイト器具。
【考案の詳細な説明】
【技術分野】
【０００１】
本考案は、身体に装着するウエイト（錘）器具に関し、詳しくは、手首や足首に装着して身体に適度な負荷を与えるべく機能する身体装着用ウエイト器具に関するものである。
【背景技術】
【０００２】
近年、健康志向の高まりを受け、食事によるダイエットを試みたり、運動によるエクササイズに取り組んだりする人が増加傾向にある。特に、肉体を鍛錬する場合には、いわゆる筋トレやウォーキングなどの運動により、鍛えたい箇所に適した負荷を与えることによって行われることとなるが、日々の生活に追われ時間的余裕のない人にとっては、短時間の運動でより効果が得られる手法が欲されているところである。
【０００３】
かかる状況下において、人々は健康器具や運動器具といったエクササイズマシンに目が向き、より効率的に運動効果を得られる器具を欲するようになってきている。しかしながら、一般に提供されている健康器具や運動器具は、高価なものが多く、且つ、腹筋マシンなど大型なものが多数を占め、また、人は元来、楽したい生き物であり、そういった大型器具を購入した場合に、購入当初は積極的に使用するものの、時間の経過とともに次第に使用頻度が減り、やがては全く使用せずに部屋の片隅に追いやられ、無用の産物として放置されてしまうこととなる。
【０００４】
そこで、従来より用いられている運動器具として、「ダンベル」がある。かかるダンベルは、棒の両端に鋳鉄製の重しが付いた運動器具であって、手で把持することで筋肉を鍛練することができ、普段の運動にちょっとした負荷を与えて、通常より優れた運動効果を得ることができる。しかしながら、かかるダンベルを使用する際は、常に手で握っている必要があることから、他に手を自由に使うことができなくなり、普段の生活の動きの中で負荷を与えることができるものではなかった。
【０００５】
そこで、本出願人は、効果的な負荷を与え得るダンベル等のウエイト器具に着目し、把持することなく手を自由な状態のまま身体に装着できないものかという着想のもと、手首や足首に装着することで手を自由な状態のまま効果的な負荷を与え得るウエイト器具を開発し、本考案にかかる身体装着用ウエイト器具の提案に至るものである。
【先行技術文献】
【特許文献】
【０００６】
【特許文献１】実用新案第３２１４３２７号公報
【特許文献２】特開２０１６−１５０２４１号公報
【特許文献３】特開２０１５−２０５号公報
【特許文献４】特開２０１３−２３０２４４号公報
【考案の概要】
【考案が解決しようとする課題】
【０００７】
本考案は、上記問題点に鑑み、より効率的で効果的な負荷作用を装着者の身体に付与し得る身体装着用ウエイト器具を提供することを課題とするものである。
【課題を解決するための手段】
【０００８】
上記課題を解決するため、本考案は、身体に装着して適度な負荷を与えるウエイト器具であって、ウエイト本体と、結束バンドと、から成り、ウエイト本体は、所定のシート状物から成る表層材と裏層材との二層構造であって、平面視において略矩形を為し、該表層材と裏層材とが周縁部において接合されることで中空部が形成されると共に、該中空部にウエイト材が充填されて成り、結束バンドは、帯状体であって一方の端辺にバックルを備え、前記表層材の短手方向略中央箇所に長手方向に沿って固着されて成り、手首や足首といった身体の所定箇所にウエイト本体を周回的に被覆しつつ結束バンドで固定することで装着され、当該装着箇所に適度なウエイト的負荷を与える手段を採用する。
【０００９】
また、本考案は、前記ウエイト本体における表層材が合成皮革から成ると共に、裏層材がポリウレタン弾性繊維若しくはクロロプレンゴムから成る手段を採用する。
【００１０】
さらに、本考案は、前記結束バンドにおけるバックルが折り返しバックル構造で形成されると共に、帯状体が面ファスナーで形成されて成る手段を採る。
【００１１】
またさらに、本考案は、前記ウエイト本体における中空部内に充填されるウエイト材が、直径５ｍｍ以下の極小鉄玉から成る手段を採用し得る。
【考案の効果】
【００１２】
本考案にかかる身体装着用ウエイト器具によれば、手を自由な状態のまま手首や足首といった身体の所定箇所に結束バンドによって簡単に装着でき、当該装着箇所に適度なウエイト的負荷を与えて、ダイエットや筋肉トレーニングに効果的なウエイト器具を提供することができる、といった優れた効果を奏するものである。
【００１３】
また、本考案にかかる身体装着用ウエイト器具によれば、ウエイト本体における表層材が合成皮革で形成されると共に、裏層材がポリウレタン弾性繊維若しくはクロロプレンゴムで形成されることで、伸縮性及び耐久性に優れ、手首や足首などにおける周回的な被覆にも対応できると共に、破損し難く素材老化もし難い、といった優れた効果を奏するものである。
【００１４】
さらに、本考案にかかる身体装着用ウエイト器具によれば、結束バンドにおけるバックルが折り返しバックル構造で形成されると共に、帯状体が面ファスナーで形成されることで、該帯状体をバックルで折り返して面ファスナー同士を貼り合せてワンタッチで装着できるため、片手装着も充分可能であって、装着時の煩雑さが無く簡易装着性に資する、といった優れた効果を奏するものである。
【００１５】
またさらに、本考案にかかる身体装着用ウエイト器具によれば、ウエイト本体における中空部内に充填されるウエイト材が極小鉄玉から成ることによって、ウエイト本体の変形にも偏りなく追随して、装着した身体形状にしっかりフィットした安定感ある装着が可能になる、といった優れた効果を奏するものである。
【００１６】
そしてまた、本考案にかかる身体装着用ウエイト器具によれば、単独で手首や足首に装着可能であることはもちろんのこと、二以上の本考案にかかる身体装着用ウエイト器具を組み合わせて、胴回りや太もも回りなど比較的大径な周回箇所にも装着可能であって、身体における装着箇所を選ばずに使用することが可能である、といった優れた効果を奏するものである。
【図面の簡単な説明】
【００１７】
【図１】本考案にかかる身体装着用ウエイト器具の実施形態を示す斜視図である。
【図２】本考案にかかる身体装着用ウエイト器具の実施形態を示す展開斜視図である。
【図３】本考案にかかる身体装着用ウエイト器具の実施形態を示す断面図である。
【図４】本考案にかかる身体装着用ウエイト器具の使用態様を示す斜視図である。
【図５】本考案にかかる身体装着用ウエイト器具の使用例を示す斜視図である。
【図６】本考案にかかる身体装着用ウエイト器具の使用例を示す斜視図である。
【考案を実施するための形態】
【００１８】
本考案にかかる身体装着用ウエイト器具１は、ウエイト本体１０と、結束バンド２０と、から成り、ウエイト本体１０は、所定のシート状物から成る表層材１２と裏層材１４との二層構造であって、平面視において略矩形を為し、該表層材１２と裏層材１４とが周縁部において接合されることで中空部が形成されると共に、該中空部にウエイト材１６が充填されて成り、結束バンド２０は、帯状体２１であって一方の端辺にバックル２２を備え、前記表層材１２の短手方向略中央箇所に長手方向に沿って固着されて成ることを最大の特徴とする。
以下、本考案にかかる身体装着用ウエイト器具１の実施形態を、図面に基づいて説明する。
【００１９】
なお、本実施形態で示される身体装着用ウエイト器具１は、下記に述べる実施形態に限定されるものではなく、本考案の技術的思想の範囲内、即ち、同一の作用効果を発揮できる形状や寸法等の範囲内で変更することができるものである。
【００２０】
図１から図４に沿って説明する。
図１は、本考案の斜視図である。図２は、本考案の展開斜視図である。図３は、本考案の使用態様を示す断面図である。図４は、本考案の使用態様を示す斜視図である。
【００２１】
本考案にかかる身体装着用ウエイト器具１は、身体に装着して適度な負荷を与えるウエイト器具であって、ウエイト本体１０と、結束バンド２０と、から構成されている。
【００２２】
ウエイト本体１０は、所定のシート状物から成る表層材１２と裏層材１４との二層構造となっており、全体形状は平面視において略矩形となっている。該表層材１２と裏層材１４とは周縁部において接合されており、それにより表層材１２と裏層材１４との間には中空部が形成されることとなる。
【００２３】
表層材１２の大きさ（面積）は、裏層材１４の大きさ（面積）よりも大きく形成されている。これにより、表層材１２と裏層材１４との周縁部を接合した際に、表層材１２が余裕のある状態で接合されることとなり、かかる余裕状態が前記中空部として機能することとなる。
【００２４】
表層材１２の材質については、シート状物であれば特に限定するものではないが、例えば合成皮革により形成することが考え得る。合成皮革で形成することにより、破損や素材老化がし難く耐久性に資することとなる。
【００２５】
裏層材１４の材質については、前記表層材１２と同様、シート状物であれば特に限定するものではないが、例えばポリウレタン弾性繊維やクロロプレンゴムといった弾性素材で形成することが考え得る。弾性素材で形成することにより、伸縮性に優れて装着時の形状変更に対する追随性に資すると共に、破損や素材老化がし難く耐久性にも優れ、さらには身体に対するフィット性に優れて安定感ある装着に資することとなる。
【００２６】
ウエイト本体１０における中空部には、ウエイト材１６が充填されている。かかるウエイト材１６により、身体における装着箇所に適度なウエイト的負荷を与えて、ダイエットや筋肉トレーニングに効果を発揮する。一の身体装着用ウエイト器具１において、充填されるウエイト材１６の重量については特に限定するものではなく、例えば０．５ｋｇや１ｋｇ、２ｋｇ、３ｋｇなど、身体に対し与えるべき負荷の量によって任意に決定可能である。
【００２７】
ウエイト材１６の具体的材質については、身体にウエイト的負荷を与え得るものであれば特に限定するものではなく、鉄や鉛などの金属や砂等を採用することが考え得る。このとき、該ウエイト材１６として、鉄製であって、直径５ｍｍ以下好ましくは直径２ｍｍ以下更に好ましくは直径１ｍｍ以下の球状から成る極小鉄玉とすることが考え得る。ウエイト材１６は、比重が重ければ重いほど、同重量に対する体積が少なくて済むため、より比重の重い素材が望まれるものである。鉄は鉛よりも比重は軽いが、鉛の毒性に鑑みると、万一の破損時における安全性を考慮し、鉄製を採用することが好ましい。また、直径５ｍｍ以下好ましくは直径２ｍｍ以下更に好ましくは直径１ｍｍ以下の球状形態を採用することで、ウエイト本体１０における中空部内での遊動性に優れ、装着時における形状変更にも容易に追随し、身体に対するフィット性向上に資して安定感ある装着に優れた効果を発揮し得ることとなる
【００２８】
結束バンド２０は、帯状体２１であって、一方の端辺にバックル２２を備えて成る。すなわち、帯状体２１における一方の端辺に存するバックル２２に、帯状体２１における他方の端部を挿通させて、その関係性で結束するものである。該結束バンド２０は、前記表層材１２の短手方向略中央箇所において、長手方向に沿って固着される。
【００２９】
結束バンド２０の具体的構造については、バックル２２を介して結束可能な構造であれば、特に限定するものではなく、例えばバックル２２についてピンバックル構造を採用し、該バックル２２に備えられたピンを帯状体２１に開けられた孔に挿通して留める態様や、バックル２２について二重の環状体から成るリングベルト構造を採用し、該二重の環状体に帯状体２１の端部を挿通した後に一方の環状体を周回して折り返して他方の環状体に再度挿通する態様などが採用し得る。
【００３０】
かかる結束バンド２０の構造について、折り返しバックル構造を採用することが考え得る。すなわち、バックル２２について一の環状体から成るリングベルト構造を採用し、該一の環状体に帯状体２１の端部を挿通した後に該環状体を周回して折り返す態様である。このとき、折り返された帯状体２１同士は、互いに結束可能な構造となっている。かかる帯状体２１同士の結束可能な構造としては、例えば図示されているように、面ファスナー２１ａ,２１ｂにより形成する態様が考え得る。具体的には、帯状体２１の折り返される端部には面ファスナー（雄側）２１ａを配し、折り返されない帯状体２１には面ファスナー（雌側）２１ｂを配することで、それらが重なり合って結束される態様である。このように、帯状体２１について面ファスナー２１ａ,２１ｂを採用することで、結束位置が決定されずに何処でも自由な位置で結束可能となるため、身体における装着箇所の周回距離に関係なく、フィット性に優れた確実な結束が可能であると共に、結束作業も帯状体２１の折り返される端部を掴んで重ね合わせるだけで足りるため、片手で容易に結束することが可能であって、装着性向上に資することとなる。
【００３１】
以上で構成される本考案にかかる身体装着用ウエイト器具１は、身体の任意の箇所において、周回的に被覆する状態で装着されることで使用されるもので、当該装着箇所に適度なウエイト的負荷を与えるべく機能する。図５は、本考案にかかる身体装着用ウエイト器具１について、身体の手首Ｌに装着した状態を示している。このように、手首Ｌのほか上腕や足首など比較的細く周回距離の短い箇所においては、一の身体装着用ウエイト器具１を当該箇所に周回するように被覆して装着すればよい。
【００３２】
図６は、本考案にかかる身体装着用ウエイト器具１について、身体の胴回りＷに装着した状態を示している。手首Ｌなどと異なり、胴回りＷや尻部、大腿部など比較的太く周回距離が長い箇所に対しては、身体装着用ウエイト器具１を複数組み合わせて連結し、当該箇所に周回するように被覆して装着されることとなる。連結に際しては、一の身体装着用ウエイト器具１における帯状体２１の端部を、他の身体装着用ウエイト器具１におけるバックル２２に挿通して結束する態様であり、この連結態様を使用すれば、何個の身体装着用ウエイト器具１であっても組み合わせて連結することが可能である。
【００３３】
以上の通り構成される本考案にかかる身体装着用ウエイト器具１によれば、把持することなく手を自由な状態のまま装着でき、手首Ｌや足首のほか胴回りＷなど装着箇所を選ばず、身体の所定箇所に結束バンド２０によって簡単に装着できると共に、伸縮性及び耐久性に優れ且つフィット性及び安定性にも優れ、当該装着箇所に適度なウエイト的負荷を与えて、ダイエットや筋肉トレーニングに優れた効果を発揮し得るウエイト器具として、非常に有用である。
【産業上の利用可能性】
【００３４】
本考案は、筋肉トレーニングをしたい人からダイエットを志す人にまで、幅広く効果を発揮するものであって、しかも装着した状態で手が自由に使用できることから、日常生活の中でトレーニング効果を発揮することができるため、継続して運動が続かない人や、普段なかなかトレーニングの時間を確保できないような時間的余裕のない人に受け入れられるものである。したがって、本考案にかかる「身体装着用ウエイト器具」の産業上の利用可能性は非常に大であると思料する。
【符号の説明】
【００３５】
１    身体装着用ウエイト器具
１０    ウエイト本体
１２    表層材
１４    裏層材
１６    ウエイト材
２０    結束バンド
２１    帯状体
２１ａ  面ファスナー（雄）
２１ｂ  面ファスナー（雌）
２２    バックル
Ｌ    手首
Ｗ    胴回り
【図１】
0003217110.tif 000003
【図２】
0003217110.tif 000004
【図３】
0003217110.tif 000005
【図４】
0003217110.tif 000006
【図５】
0003217110.tif 000007
【図６】
0003217110.tif 000008